(57)【要約】【課題】  原稿ガラス上の導電性コーティングが通紙耐久によって削れる。原稿ガラス上の導電性コーティングが削れると、静電気を除去する効果がなくなって画像読み取り位置にゴミが留まりやくなったり、読み取られた画像の輝度が異なったりしまう。【解決手段】  表面にＥＣコート１６１ｃを有する流し読みプラテン１１６と、ＥＣコート１６１ｃのアースを取るための導電性搬送ガイド１６１ａと、原稿を搬送するリードローラ対１４、２２と、を画像読取装置は備える。導電性搬送ガイド１６１ａは、流し読みプラテン１６１の表面に沿って延びておりリードローラ対１４，２２のニップ線７２と交差する。【選択図】  図４
2010136193.tif 000002
【特許請求の範囲】
【請求項１】
搬送される原稿の画像を読取位置にて読み取る読取手段と、
前記読取位置に設けられ、表面に導電層を備えた透明部材と、
前記透明部材の表面へ原稿を搬送する搬送手段と、
前記搬送手段と前記読取位置との間に設けられ、接地された導電性部材と、を備え、
前記導電層が前記導電性部材を介して接地されるとともに、前記導電性部材は前記搬送手段による原稿の搬送方向と交差するように前記透明部材の表面に沿って延びていて前記搬送手段によって搬送される原稿を前記導電層に向けてガイドすることを特徴とする画像読取装置。
【請求項２】
前記搬送手段はローラ対を備え、前記ローラ対のニップ線と前記導電性部材とが交差することを特徴とする請求項１に記載の画像読取装置。
【請求項３】
前記導電性部材に対向して設けられ、前記搬送手段によって搬送される原稿が前記導電性部材から離れるのを規制する規制部を備えることを特徴とする請求項１または２に記載の画像読取装置。
【請求項４】
前記透明部材の導電層は、導電性のコーティングが施されたことによって形成されることを特徴とする請求項１乃至３のいずれか１項に記載の画像読み取り装置。
【請求項５】
前記導電性部材の電気抵抗値が前記透明部材の導電層の電気抵抗値より小さいことを特徴とする請求項１乃至４のいずれか１項に記載の画像読み取り装置。
【請求項６】
前記読取位置よりも原稿の搬送方向の上流側に設けられ、原稿が搬送される湾曲した搬送路を備えることを特徴とする請求項１乃至５のいずれか１項に記載の画像読取装置。
【請求項７】
前記導電性部材は金属板であることを特徴とする請求項１乃至６のいずれか１項に記載の画像読取装置。
【請求項８】
前記導電性部材の原稿をガイドする面における原稿の搬送方向下流側の端部は、Ｒ形状もしくは下流側へいくに従って徐々に厚みが減少するテーパ形状であることを特徴とする請求項１乃至７のいずれか１項に記載の画像読取装置。
【請求項９】
前記導電性部材と前記透明部材の導電層からなる面とが導電性接着部材によって接着されることを特徴とする請求項１乃至８のいずれか１項に記載の画像読取装置。
【請求項１０】
前記導電性部材における原稿の搬送方向下流側の端は、搬送される原稿の搬送方向と交差する幅方向における搬送中心に対して対称形状で且つ搬送方向における端位置が前記幅方向で異なることを特徴とする請求項１乃至９のいずれか１項に記載の画像読取装置。
【請求項１１】
請求項１乃至１０のいずれか１項に記載の画像読取装置と、
前記画像読取装置により読取られた画像を記録シートに形成する画像形成部と、
を備えたことを特徴とする画像形成装置。
【発明の詳細な説明】
【技術分野】
【０００１】
本発明は、原稿の画像を読み取る画像読取装置に関するものである。
【背景技術】
【０００２】
従来、デジタル複写機等の画像形成装置に用いられる、自動原稿搬送装置（以下、ＡＤＦ（Ａｕｔｏ  Ｄｏｃｕｍｅｎｔ  Ｆｅｅｄｅｒ）という）を備えた画像読取装置がある。この種のＡＤＦを備えた画像読取装置は、ＡＤＦの下方に設けられた読取手段をモータにより設定位置、すなわち、ＡＤＦ内のプラテンローラのほぼ直下に移動して停止させる。そして、ランプユニットから光を出射し、プラテンローラとガラス板との間で原稿を搬送させつつ原稿を走査し、その反射光に基づいて読取手段で画像を読み取る。
【０００３】
図１２に示すように、従来のデジタル複写機のＡＤＦの原稿読取部は、プラテンローラ５２４、透明原稿ガイド手段である原稿ガラス５１６を備えている。ここで、原稿Ｐは原稿ガラス５１６の表面と接しながら搬送される。また原稿Ｐの搬送性を確保する為に、原稿ガラス５１６の長手方向（原稿幅方向）端部にアースバネ（不図示）を設け原稿ガラス５１６の帯電防止を行っている。しかしながら、原稿搬送で発生したトナー粉、紙粉、ゴムカス等のゴミが原稿ガラス上に溜まってしまうという問題が発生する。特にゴミが原稿読取位置に溜まると画像記録の際にスジ画像が発生するという問題がある。
【０００４】
すなわち、図１２に示すように、原稿Ｐと一緒に運ばれてきたゴミＧは原稿Ｐと原稿ガラス５１６の間で摺擦される。その後、原稿Ｐは原稿ガラス５１６から離れて搬送ガイド５１７に沿って搬送されていくが、ゴミＧは原稿ガラス５１６に静電吸着し滞留する。このとき、ゴミＧが原稿読取位置９９にあると、原稿Ｐの読み取り中、読取手段によって連続して読み取られ、画像スジが発生する。
【０００５】
そこで画像読み取り装置において（図１３参照）は、原稿ガラス５１６の通紙面上に導電性コーティング５１６ｃを施している。また、原稿の幅方向に延びたにアルミシート５１６ａを貼り付けして除電効果を強化してゴミＧが原稿ガラス５１６に静電吸着して画像スジになることを防止している（特許文献１参照）。
【０００６】
この構成によると原稿Ｐに付着した紙粉等のゴミＧは、原稿Ｐと共に搬送され、原稿ガラス５１６と原稿Ｐの間で摺擦される。流し読みプラテン５１６の表面の帯電はアルミシート５１６ａ及び流し読みプラテン５１６表面の導電層（導電コーティング）５１６ｃにより除去される。よって原稿Ｐ、ゴミＧ、原稿ガラス５１６の間には静電吸着の力は及ばず、摩擦による力が支配的となる。従って、原稿ＰとゴミＧとの摩擦力が、ゴミＧと原稿ガラス５１６との摩擦力より強く、ゴミＧは原稿Ｐと共に搬送され、原稿ガラス５１６に滞留し、画像スジが発生することを防止することができる。
【０００７】
また、例えゴミＧが原稿ガラス５１６上に留まったとしても、静電吸着していなければ次の原稿Ｐの先端によりクリーニングされて簡単に除去できるため、スジ画像になることを防止できる。
【特許文献１】特開２００５−１８４０６９号公報
【発明の開示】
【発明が解決しようとする課題】
【０００８】
しかしながら、近年読み取りスピード（原稿の搬送速度）の高速化やコンパクト化および多種多様な原稿通紙への対応など、自動原稿搬送装置への様々な要求が増加してきている。装置のコンパクト化や特に厚紙原稿の通紙要求に対して、図１３に示す従来の装置の構成では原稿搬送パスの屈曲と厚紙原稿の強めの剛度とに起因して原稿ガラスに強い当接圧で原稿が押し付けられる。特に例えば２００ｇ／ｃｍ２以上の厚紙を耐久的に通紙した場合には、原稿ガラス面上の同じ位置で原稿が原稿台ガラス面と摺動を繰り返すことで、導電性コーティングがガラスから剥離してしまう。原稿ガラス面上の導電性コーティングが削れてしまうと以下の問題がある。
【０００９】
即ち、導電性コーティングが削れてしまうことで前述の除電効果が損なわれる。除電効果が損なわれた状態で通紙耐久が進むとゴミが原稿ガラスに付着してしまい画像スジの不良画像が発生してしまう。
【００１０】
また、導電性コーティングの削れによって、画像読み取り時の読み取り輝度が変動してしまう。これは導電性コーティングの有無によって原稿ガラスの光の透過率が異なるからである。読み取り輝度が変動することで出力画像濃度に悪影響がでてしまう。ここで仮に均一に原稿ガラス上に導電性コーティングされていれば読み取り輝度に対して補正をかけることで対応することも可能である。しかしながら、例えば局所的に導電性コーティングが削れてしまった場合には、導電性コーティングが削れてしまって素ガラスの部分と導電性コーティングの削れが無く導電性コーティングを介して読み取る部分とが生じる。素ガラスの部分を介して読み取られた原稿の画像と導電性コーティングが存在する部分を介して読み取られた原稿の画像とで読み取り輝度差が生じてしまい、不均一な画像輝度データを入手してしまう。このように導電性コーティングの削れによって原稿ガラスを通過するときの光の透過率が変動することで導電性コーティングが削られていない部分との画像濃度差が生じる恐れがある。
【００１１】
本発明は、良好な原稿の画像を得ることのできる画像読取装置並びに画像形成装置を提供することを目的とする。
【課題を解決するための手段】
【００１２】
本発明は、上述にかかる問題を解決するものであり、搬送される原稿の画像を読取位置にて読み取る読取手段と、前記読取位置に設けられ、表面に導電層を備えた透明部材と、前記透明部材の表面へ原稿を搬送する搬送手段と、前記搬送手段と前記読取位置との間に設けられ、接地された導電性部材と、を備え、前記導電層が前記導電性部材を介して接地されるとともに、前記導電性部材は前記搬送手段による原稿の搬送方向と交差するように前記透明部材の表面に沿って延びていて前記搬送手段によって搬送される原稿を前記導電層に向けてガイドすることを特徴とする画像読取装置である。
【発明の効果】
【００１３】
本発明によれば導電層を接地する導電性部材が、原稿を搬送する搬送手段の搬送方向と交差するので、導電層のけずれが防がれ、良好な原稿の画像を得ることができる。
【発明を実施するための最良の形態】
【００１４】
［第一実施形態］
本発明に係る画像読取装置およびこれを具備する画像形成装置の第一実施形態について、図を用いて説明する。図１１は画像形成装置の構成断面図である。図１は本実施形態に係る画像読取装置の断面図である。図２は原稿搬送装置の駆動系の説明図である。図３は原稿読取部の詳細図である。
【００１５】
図４は原稿読み取り部における原稿押し付け力の測定結果と流し読みプラテンの輝度測定結果である。図６は原稿搬送装置のヒンジ機構を説明する背面図。図７は原稿搬送装置の制御ブロック図であり、図８はリーダ部の制御ブロック図である。
【００１６】
図１１に示すように、画像形成装置１は、プリンタ部３００と、画像読取装置１５とから構成さえている。
【００１７】
〔プリンタ部の説明〕
プリンタ部３００は、周知の静電潜像画像形成を用いた画像形成装置本体である。プリンタ部３００は、給送部、画像形成部、定着装置１１８から構成されている。
【００１８】
給送部は、上段カセット１００、下段カセット１０２、手差しガイド１０４、シート積載装置１０８、給送ローラ１０１、１０３、１０５、１０９、レジストローラ１０６から構成されている。
【００１９】
上段カセット１００は記録媒体である記録シートを積載収納可能であり、上段カセット１００内に収納された記録シートは分離爪と給送ローラ１０１の作用によって１枚ずつ分離給送されてレジストローラ１０６に導かれる。下段カセット１０２は記録シートを積載収納可能であり、下段カセット１０２内に収納された記録シートは分離爪と給送ローラ１０３の作用によって１枚ずつ分離給送されてレジストローラ１０６に導かれる。
【００２０】
手差しガイド１０４は記録シートを積載可能であり、手差しガイド１０４に積載された記録シートは１枚ずつ給送ローラ１０５を介してレジストローラ１０６に導かれる。
【００２１】
シート積載装置１０８（デッキタイプ）は、モータ等により昇降する中板１０８ａを備える。中板１０８ａ上に積載された記録シートは、給送ローラ１０９と分離爪の作用により１枚ずつ分離給送されて搬送ローラ１１０に導かれる。
【００２２】
記録シートに画像を形成する画像形成部は、感光ドラム１１２、レーザースキャナ１１２ａ、現像器１１４、転写帯電器１１５、分離帯電器１１６から構成されている。感光ドラム１１２は、リーダ部１５０により読み取られた画像データに基づいてレーザースキャナ１１２ａにより画像光を照射され、感光ドラム１１２の表面に静電潜像を形成する。この静電潜像は、現像器１１４によってトナー像に変換され、レジストローラ１０６から搬送された記録シートに転写帯電器１１５により転写される。トナー像を転写された記録シートは、分離帯電器１１６により感光ドラム１１２から分離して搬送ベルト１１７へ搬送される。
【００２３】
その後、記録シートは、搬送ベルト１１７により定着装置１１８へ搬送され、定着装置１１８によりトナー像を定着される。定着装置１１８によってトナー像が定着された記録シートはシート搬送ローラ１１９によってシート排出パス１２０を搬送される。そして、シート排出ローラ１２１によって排紙トレイ１２１ａ上に排出される。
【００２４】
〔画像読取装置の説明〕
図１に示すように、画像読取装置１５は、リーダ部１５０と、リーダ部１５０の上部に設けられた原稿搬送装置２（ＡＤＦ（Ａｕｔｏ  Ｄｏｃｕｍｅｎｔ  Ｆｅｅｄｅｒ））とから構成されている。
【００２５】
〔リーダ部の説明〕
図１に示されているように、リーダ部１５０は、ランプ１５２及びミラー１５３と、ミラー１５５、１５６、レンズ１５７、ＣＣＤ１５８を備えている。ランプ１５２とミラー１５３は、光学台１５９に取り付けられている。
【００２６】
また、光学台１５９は、ワイヤ（不図示）によって、モータ３１４（図８参照）と結合され、モータ３１４の回転駆動により、原稿が載置される原稿台ガラス３と平行に移動制御される。
【００２７】
ポジションセンサ３１５（図８参照）は、光学台１５９のホームポジション位置を検知するためのセンサである。ポジションセンサ３１５の位置を基準としてモータ３１４を正転、逆転することにより光学台１５９を移動し、原稿台ガラス３上の原稿を光学的に走査する。
【００２８】
また、モータ３１４は、ステッピングモータにより構成されている。このモータ３１４には、エンコーダ３０２が接続されており、このエンコーダ３０２の出力により、光学台１５９が何パルス分移動したかを認識できるようになっている。すなわち、ポジションセンサ３１５とエンコーダ３０２からのエンコーダーパルスにより、光学台１５９の位置を把握することが可能である。
【００２９】
ランプ１５２から原稿面に照射された光は、原稿Ｐで反射する。原稿からの反射光は、ミラー１５３、１５５、１５６を介してレンズ１５７に導かれ、レンズ１５７によってＣＣＤ１５８上に集光される。ＣＣＤ１５８は、原稿情報を反映した上記反射光を光電変換し、電子的な画像信号として出力する。ランプ１５２及びミラー１５３と、ミラー１５５、１５６、レンズ１５７、ＣＣＤ１５８が本発明での読取手段を構成する。
【００３０】
このような構成下で、リーダ部１５０は、ＡＤＦ原稿読取モードと、原稿台ガラス原稿読取モードの２つのモードで原稿情報を読み取ることができる。ＡＤＦ原稿読取モードは、光学台１５９を読取位置１６０（図１中１点鎖線の位置）に停止させた状態で、ＡＤＦ２により原稿を搬送させながら原稿情報を読み取るモードである。原稿台ガラス原稿読取モードは、原稿を原稿台ガラス３上に固定的に載置して、光学台１５９を走査方向（原稿幅方向）と直交する副走査方向に移動させながら原稿情報を読み取るモードである。
【００３１】
図８のブロック図に示すように、リーダ部１５０を制御するスキャナコントローラ３０４には、モータ３１４、エンコーダ３０２、ランプ１５２が接続されこれらを制御する。スキャナコントローラ３０４には、光学台１５９がホームポジションに位置決めするためのポジションセンサ３１５が接続される。さらにスキャナコントローラ３０４は、原稿面に光を照射するランプ１５２、ＣＣＤ１５８、Ａ／Ｄ変換回路３０１、バックアップＲＡＭ３０３と接続され、これらの動作を制御している。バックアップＲＡＭ３０３は、ＡＤＦ原稿読取モードにおける正規の読取位置１６０を設定するための記憶メモリである。
【００３２】
〔原稿搬送装置の説明〕
図１に示すように、原稿搬送装置２（ＡＤＦ）は、原稿トレイ４、給送部、分離部（給送ローラ５、分離パッド６、分離搬送ローラ８）を備える。さらにＡＤＦ２は。搬送部（レジスト従動ローラ１１、レジストローラ１２、リード排出ローラ２３、リード排出従動ローラ１６）、湾曲搬送路ガイド７１、排出部（排出ローラ１８、排出トレイ１０）を備える。またＡＤＦ２は、各種の駆動系及びセンサ、制御回路、ヒンジ機構９５（図６参照）を具備している。
【００３３】
給送部、分離部は、給送ローラ５、分離パッド６、分離搬送ローラ８から構成されている。原稿トレイ４は、シート状の原稿Ｐを積載するためのものである。原稿トレイ４には原稿幅方向を規制する一対の幅方向規制板４４が原稿幅方向にスライド自在に配置されている。幅方向規制板４４によって原稿トレイ４に積載される原稿Ｐの幅方向を規制することで給送時の搬送安定性を確保できる。
【００３４】
原稿トレイ４の上方には、給送ローラ５が設けられている。給送ローラ５は分離搬送ローラ８の回転駆動に連れて回転し、シート原稿を給送する。給送ローラ５は、図示しないアームにて軸支されるので、アームを揺動して給送ローラ５を上下に移動可能である。給送ローラ５は通常、ホームポジションである上方に待避している位置（図１中実線の位置）をとり、原稿セット作業のじゃまにならない位置に退避している。給送動作が開始されると給送ローラ５が下降して原稿Ｐの上面に当接する（図１中点線位置）。
【００３５】
分離パッド６は、分離搬送ローラ８の対向側に配置され、分離搬送ローラ８側に圧を加えている。分離パッド６は分離搬送ローラ８より摩擦が若干小さいゴム材料などで形成されている。レジストローラ１２、レジスト従動ローラ１１は、分離搬送ローラ８にて給送された原稿の先端をそろえるレジスト手段である。
【００３６】
〔駆動系〕
図２は各ローラなどを駆動するためのモータ及びソレノイド類を示す駆動系を示した図である。分離ソレノイド５７は給送ローラ５の揺動の駆動を行う。分離ソレノイド５７は給送ローラ５をホーム位置である上方（図中実線位置）に持上げ保持し、原稿セット時に邪魔にならない位置に保持するキープソレノイドである。給送動作時には分離ソレノイド５７のキープ力をオフして下降し、原稿トレイ４上のシート原稿の最上紙に給送ローラ５が圧接する。
【００３７】
分離モータ５１はステッピングモータであり、分離搬送ローラ８と給送ローラ５を搬送方向に回転駆動する。リードモータ５３はレジストローラ１２、リードローラ２２、プラテンローラ２４、リード排出ローラ２３を駆動するステッピングモータである。搬送される原稿の画像を読み取る速度で各ローラを駆動する。排出モータ５０は排出ローラ１８を駆動するステッピングモータである。
【００３８】
〔センサ〕
原稿トレイ４には、シート原稿Ｐがセットされたことを検出する透過型の光センサである原稿セット検知センサ４０が設けられている。また、原稿トレイ４の下部に、幅方向規制板４４の位置を検出する事により原稿トレイ４上にセットされた原稿束Ｐの幅方向の長さを検知する原稿幅検知センサ４１（不図示）が設けられている。
【００３９】
分離搬送ローラ８とレジストローラ１２の間には、原稿を検知する透過型の光センサであるレジストセンサ７が設けられ、分離給送された原稿の先端を検知し、レジストローラ１２への突き当て量（ループ量）を制御するタイミングなどを検知している。リードローラ２２の直後には、原稿を検知する反射型光センサであるリードセンサ１３が設けられ、読取位置１６０での画像読み取り開始タイミングの基準信号としている。排出ローラ１８の直前には、原稿を検知する透過型光センサである排出センサ１７が設けられ、原稿の排出タイミングなどを検知している。
【００４０】
〔制御回路〕
図７に示すように、ＡＤＦ２の制御回路はマイクロプロセッサ５４（ＣＰＵ）を中心に構成されており、ＣＰＵ５４の入出力ポートには、各種負荷のドライブ回路およびセンサ信号が接続される。
【００４１】
また、制御回路は電池によりバックアップされるＲＡＭ（不図示）と、制御シーケンスソフトの格納されたＲＯＭ（不図示）を備えている。また、通信用ＩＣ５５は、プリンタ部３００とのデータ通信を制御する。
【００４２】
分離モータ５１とリードモータ５３と排出モータ５０は各ステッピングモータドライバによって駆動される。各ドライバには、ＣＰＵ５４から相励磁信号と、モータ電流制御信号が入力されている。分離ソレノイド５７はドライバによって駆動され、ＣＰＵ５４の入出力ポートに接続された信号によって、その動作を制御される。
【００４３】
レジストセンサ７、セットセンサ４０、リードセンサ１３、排出センサ１７、原稿幅センサ４１等の各種センサは、ＣＰＵ５４の入力ポートに接続されて、装置内における、原稿の挙動をおよび、可動負荷の挙動をモニターするために用いられる。
【００４４】
〔原稿搬送動作の説明〕
セットセンサ４０によって原稿トレイ４上にある原稿Ｐが検知されると、給送ローラ５が降下して原稿束上に当接する。画像形成装置１の操作部で複写条件が入力されスタートキーが押されると、原稿トレイ４上の原稿幅センサ４１によって原稿サイズの検出が行われる。さらに、分離ソレノイド５７の保持が解除され原稿は給送ローラ５の給送力を受けて下流部（分離搬送ローラ８）へ給送され、分離パッド６と分離搬送ローラ８により一枚毎に分離されてレジスト従動ローラ１１、レジストローラ１２へ給送される。
【００４５】
分離搬送ローラ８から分離給送された原稿Ｐは、静止したレジストローラ対１１、１２のニップ部に原稿先端を突き当てつつ、分離搬送ローラ８により後端を給送されることにより、ループして先端をそろえられる。
【００４６】
先端をそろえた原稿Ｐは、レジストローラ対１１、１２によって、リードローラ２２とリード従動ローラ１４とによって構成されるリードローラ対２２、１４に送られる。そして、流し読みプラテン１６１へ原稿を搬送する搬送手段としてのリードローラ対２２、１４によって、プラテンローラ２４の方へ搬送される。この際、原稿Ｐは、プラテンローラ２４とミラー１５３等との間に設けられた透明部材である流し読みプラテン１６１（原稿ガラス）の表面側を通過するときに読取位置１６０にて、画像を読み取られる。流し読みプラテン１６１上の読取位置１６０で画像を読み取られた原稿Ｐは、ジャンプ台１６２により流し読みプラテン１６１からすくい上げられるように案内される。ジャンプ台１６２によって案内された原稿は、リード排出ローラ２３、リード排出従動ローラ１６により排出ローラ１８へ搬送されて、排出トレイ１０に排出される。
【００４７】
なお、原稿の両面を読み取る両面読取モード時には、原稿Ｐは排出ローラ１８にてスイッチバックされ、上方の両面パス１９に案内されてレジストローラ対１１、１２に向けて搬送される。レジストローラ対１１、１２へ搬送された後、上記と同様にして原稿の裏面の読み取りを行われ、排出トレイ１０へ排出される。
【００４８】
〔ヒンジ機構〕
図６に示すように、原稿搬送装置２は、ヒンジ機構９５によって、流し読みプラテン１６１、原稿台ガラス３を開放するようにリーダ部１５０に対して回動可能に設けられている。
【００４９】
〔原稿読取部〕
図３は、原稿読取部の構成を説明するためのものである、図３（ａ）は、流し読みプラテン１６１および導電性ガイド部材１６１ａの上視図であり、図３（ｂ）は、原稿読取部の断面図である。図３（ｃ）は導電性搬送ガイド１６１ａの下流側端部を拡大した拡大断面図である。
【００５０】
図３（ｂ）に示すように、原稿読取部は、プラテンローラ２４、流し読みプラテン１６１、導電性部材である導電性ガイド部材１６１ａから構成されている。
【００５１】
プラテンローラ２４は、白色プラテンローラ２４ａと、搬送される原稿の導電性搬送ガイド１６１ａからの浮き上がりを規制する規制部としてのシート押さえコロ２４ｂと、から構成されている。白色プラテンローラ２４ａは、不図示の駆動手段により原稿Ｐを搬送する方向に駆動回転する。白色プラテンローラ２４ａと透明部材としての流し読みプラテン１６１との間隔は不図示の間隔保持構成により０．３ｍｍに保証されている。
【００５２】
流し読みプラテン１６１上には、導電性搬送ガイド１６１ａが貼り付けられている。シート押さえコロ２４ｂは、リードローラ２２軸回りに揺動可能に構成されていて、流し読みプラテン１６１を押圧するような方向にばねによって加圧されている。
【００５３】
流し読みプラテン１６１は、ガラス表面に導電層としてＥＣ（ｅｌｅｃｔｒｏ  ｃｏｎｄｕｃｔｉｖｅ）コート１６１ｃを施してあり、表面抵抗値は２００〜５００Ω／ｃｍ程度となっている。ＥＣコートは、透明な導電性コーティングである。本実施形態では蒸着コーティングによって表面膜厚層は約１μｍ以下で生成されており、可視光透過率は約９０％（波長５００μｍ程度）となっている。
【００５４】
流し読みプラテン１６１の表面には、原稿搬送方向上流側の縁部にかけて導電性部材である導電性搬送ガイド１６１ａが導電性両面テープ１６１ｂで貼り付けられている。導電性搬送ガイド１６１ａは、アースに落ちている筐体１５０ａにピスで固定されたアースばね１５１が接している。よって、導電性搬送ガイド１６１ａは、筐体１５０ａと筐体１５０ａに設置されるアースばね１５１を介して接地されている。流し読みプラテン１６１の表面（表層のＥＣコート１６１ｃ）は、導電性接着部材である導電性両面テープ１６１ｂで接着されているために導電性搬送ガイド１６１ａと導通がとられている。したがって導電層であるＥＣコート１６１ｃは、導電性搬送ガイド１６１ａを介して接地されている。
【００５５】
本実施形態では導電性搬送ガイド１６１ａとして、厚み０．１ｍｍのＳＵＳ板材を採用しており、導電性両面テープ１６１ｂの厚みは約０．１ｍｍである。また、導電性搬送ガイド１６１ａの長手方向（原稿幅方向）の長さＸは、搬送する最大原稿幅以上に設定されている。ＳＵＳ板材で構成された導電性搬送ガイド１６１ａの電気抵抗値は、流し読みプラテン１６１のＥＣコート１６１ｃの電気抵抗値よりも小さい。
【００５６】
図３（ｃ）に示すように導電性搬送ガイド１６１ａの下流側端部の通紙面側はラウンド形状（Ｒ形状）９７が形成されている。具体的にはＳＵＳ板をプレスで加工する際にエッジダレ側となる面を原稿の案内面側とする。このように導電性搬送ガイド１６１ａの端部の通紙面側をラウンド形状９７とすることで搬送される原稿の引っ掛かりによるジャムや搬送される原稿の損傷を防止している。また導電性搬送ガイド１６１ａの端部をラウンド形状とすることで導電性搬送ガイド１６１ａの端部と摺接する原稿から紙粉等を発生させないようにしている。なお、導電性搬送ガイド１６１ａの端部の通紙面側にテーパ形状を形成してもラウンド形状と同様の効果を得られる。
【００５７】
ここで、図３（ｂ）に示すように、リードローラ対２２、１４のニップ線７２と流し読みプラテン１６１の表面とが交わる点を交点ｐする。導電性搬送ガイド１６１ａの搬送方向位置としては、交点ｐよりも原稿搬送方向の上流側から配置され、交点Ｐを跨ぐように交点ｐよりも下流側へ延びて配置されている。即ち導電性搬送ガイド１６１ａにおける原稿搬送方向下流側の端部Ｔの位置は、交点ｐより下流側である。このように、流し読みプラテン１６１の直ぐ上流でのＡＤＦ２による原稿の搬送方向となるリードローラ対２２、１４のニップ線７２は、流し読みプラテン１６１の表面に沿って延びた導電性搬送ガイド１６１ａと交差する。そして、搬送される原稿の全域が導電性搬送ガイド１６１ａに接する。
【００５８】
なおかつ導電性搬送ガイド１６１ａにおける原稿搬送方向下流側の端部Ｔの位置は、読取位置１６０より原稿搬送方向上流側に位置するよう配置される。本実施形態では、導電性搬送ガイド１６１ａにおける原稿搬送方向下流側の端部Ｔの位置は、読取位置１６０よりも４〜６ｍｍ程度上流側に位置している。
【００５９】
図３（ｂ）のように昨今のＡＤＦ構成のコンパクト化への要求に伴い普及しているＵ字型搬送パスの形態において、上述した屈曲搬送パス中に画像流し読み部を形成している。
【００６０】
したがって従来構成（図１３参照）のように屈曲パス中に流し読みプラテン１６１を配して構成した場合、搬送される原稿の流し読みプラテンへの押し付け力は、原稿厚さの増加や搬送パス曲率の増大に比して増大することになる。上述した１μｍ程度の厚さのＥＣコートは、増大した押し付け力を伴っての原稿摺擦で通紙耐久を行うと、削れて流し読みプラテン１６１から剥離してしまう恐れがあった。
【００６１】
ここで表層膜であるＥＣコート１６１ｃは素ガラス状態の可視光透過率に対して１０％程度受光輝度低下を生じる。したがって、原稿との摺擦によってＥＣコートが削れることで、削れていない部分との受光輝度差を招き、例えば読み取った画像に基づいてプリント出力した際に画像濃度差を引き起こしてしまう。また、耐久的にＥＣコートが削れてしまうと初期の受光輝度と耐久後の受光輝度との差分が生じ経時的に出力画像濃度の変動を引き起こしてしまう。
【００６２】
このような従来構成での問題に鑑みて、本実施形態では、導電性搬送ガイド１６１ａを流し読みプラテン１６１上へ配している。そして、原稿の屈曲による原稿押し付け力によって導電性搬送ガイド１６１ａに原稿を積極的に導電性搬送ガイド１６１ａへ付勢させて摺擦させるようにしている。よって原稿の電気的接触が強まり原稿ＰやゴミＧの静電気を除去する能力を従来構成（図１３参照）より大幅に高めている。
【００６３】
さらに前述のシート押さえコロ２４ｂの押し付け力によってより高い付勢力を導電性搬送ガイド１６１ａに原稿を付勢させて摺擦させることで原稿ＰやゴミＧの静電気を除去する能力がより高まる。加えて、屈曲による原稿押し付け力の低い薄紙通紙の場合においても、このシート押さえコロ２４ｂの付勢力によって導電性搬送ガイド１６１ａに対する導通を高めて除電する能力を高めている。
【００６４】
また、導電性搬送ガイド１６１ａへ積極的に原稿を押し付けて摺擦搬送させることで、ＥＣコートを施している流し読みプラテン１６１上の読取位置１６０近傍では原稿の押し付け力はかなり軽圧になる。なぜなら、搬送路の湾曲に起因した原稿の腰による押し付け力を導電性搬送ガイド１６１ａが受けるため、導電性搬送ガイド１６１ａよりも下流側である流し読みプラテン１６１上の読取位置１６０近傍では原稿の押し付け力が軽減若しくは無くからである。即ち、リードローラ対２２、１４によって斜め下方向に搬送されてきた原稿は、流し読みプラテン１６１の表面と平行な導電性搬送ガイド１６１ａの上面によって、上面にＥＣコート１６１ｃが施されている流し読みプラテン１６１に向けてガイドされる。導電性搬送ガイド１６１ａの上面で原稿がガイドされると、その原稿の移動方向が流し読みプラテン１６１の上面と平行な方向に偏向されるようになる。したがって、流し読みプラテン１６１の上面と原稿との接触力は小さいものとなる。
【００６５】
更に本実施形態では、導電性搬送ガイド１６１ａに対向した位置に設けられたシート押さえコロ２４ｂによって、導電性搬送ガイド１６１ａでガイドされる原稿の導電性搬送ガイド１６１ａからの浮き上がりが規制される。したがって導電性搬送ガイド１６１ａよりも搬送方向の下流において、原稿の搬送の向きとして流し読みプラテン１６１の上面に対して角度を持って搬送されていくことが少なくなるので、流し読みプラテン１６１の上面と原稿との接触力は小さくなる。
【００６６】
以上、説明したようにリードローラ２２とリード従動ローラ１４とのニップ線７２と交差するように流し読みプラテン１６１の表面に沿って延びた導電性搬送ガイド１６１ａを設けた。この構成によって湾曲した搬送路を搬送される原稿の剛度（こし）で導電性搬送ガイド１６１ａに押し付けられて原稿の除電が効果的に行われるとともに搬送される原稿の剛度による流し読みプラテン１６１への原稿の押し付けも防がれる。
【００６７】
なお、本実施形態では、ＡＤＦ２による流し読みプラテン１６１への原稿の搬送方向がリードローラ対２２、１４のニップ線で規定される形態を例示した。しかし例えば、ＡＤＦに設けられリードローラ対２２，１４と流し読みプラテン１６１との間の搬送ガイド対によって、搬送される原稿の位置が規制されつつ流し読みプラテン１６１の方へ原稿が搬送される構成のものでもよい。この構成の場合には、リードローラ対２２，１４と流し読みプラテン１６１との間の搬送ガイド対によって位置が規制されている原稿の搬送方向に対して導電性搬送ガイド１６１ａが交差するように導電性搬送ガイド１６１ａを設ければよい。
【００６８】
また本実施形態では、導電性搬送ガイド１６１ａに対向した位置にシート押さえコロ２４ｂを設けてある。シート押さえコロ２４ｂによって導電性搬送ガイド１６１ａへの原稿の押し付けがより確実に行われて原稿の除電が確実に行われる。シート押さえコロ２４ｂによって原稿の除電効果が向上されると共に導電性搬送ガイド１６１ａから搬送される原稿が浮き上がることが規制されるので原稿の剛度による流し読みプラテンの上面への原稿の押し付けも防がれる。
【００６９】
本実施形態と従来形態（図１３参照）と比較測定結果を図４に示す。
【００７０】
図４（ｂ）は、本実施形態および従来形態において、原稿搬送時の流し読みプラテン１６１面上の原稿の押し付け力分布を実際に測定した結果である。図４（ｃ）は、本実施形態と従来形態とにおいて、実際に１０万枚を通紙させた際の流し読みプラテン１６１の透過輝度（読み取り輝度）の測定結果を示す。ここで図４（ａ）は、図４（ｂ）および（ｃ）の横軸に対応させた画像読取装置の原稿搬送方向の位置と関連づけて説明するための画像読取装置の断面図である。
【００７１】
図４（ｂ）に示すように従来形態の原稿押し付け力分布では特に読み取り位置近傍での押し付け力が高いことがわかる。また、本実施形態の押し付け力分布では先に述べたように導電性搬送ガイドの下流側エッジ部に高い押し付け力が集中して、読み取り位置近傍では原稿押し付け力がかなり軽圧になっていることがわかる。
【００７２】
図４（ｃ）において縦軸は光学台１５９のランプ１５２からから発光した光をガラス上面に載置した白色基準紙に照射して、その反射光をＣＣＤ１５８によって集受光し、輝度変換した数値である。横軸は流し読みプラテンを固定して水平方向へ光学台１５９を移動させた移動量である。
【００７３】
図４（ｃ）に示した測定結果からも従来形態の流し読みプラテンにおいては読取位置１６０近傍において輝度レベルが増加している。また輝度レベル増加位置の流し読みプラテン１６１の表面電気抵抗値を測定しても導電性を有しておらず、ＥＣコート１６１ｃが剥離していることが伺える。しかしながら、本実施形態の流し読みプラテン１６１においては殆んど読み取り輝度レベルの差が生じておらずＥＣコート１６１ｃが通紙耐久を行っても削れていないことがわかる。
【００７４】
このため従来形態では、流し読みプラテン１６１表面のＥＣコート１６１ｃは押し付け力の高い部分の周辺でＥＣコートが剥離する。本実施形態のように導電性搬送ガイド１６１ａを設けることで導電性搬送ガイド１６１ａの下流端部に原稿の押し付け力が集中し、画像読み取り位置近傍では軽圧に原稿押し付けされ搬送されることで耐久的にもＥＣコートが剥離しないことがわかる。
【００７５】
上述したように、ＥＣコート１６１ｃを施している読み取り位置近傍に対しても原稿のガラス面への押し付け力低下によってＥＣコートの耐久的通紙削れを大幅に低減することが可能となった。したがって耐久的にも除電能力の劣化による画像スジやＥＣコートと素ガラスの透過率差による画像濃度変動で生じる不良画像や画像品質劣化を防止することが可能となった。
【００７６】
さらに画像の読取位置１６０近傍での流し読みプラテン１６１への原稿の押し付け力の軽圧化に伴い、読取位置１６０近傍での静電気発生量を低減する効果もある。すなわち、ゴミＧに付与する静電エネルギーも減少するため画像スジを発生しにくくなっている。加えて、前述した通り積極的に導電性の高い導電性搬送ガイド１６１ａに原稿を当接させて除電することで初期のゴミＧ等の除電能力も高く画像スジの発生をより抑制できる。
【００７７】
実際、通紙耐久による画像スジ発生率を従来形態の画像スジ発生率と比較しても大幅に改善していた。
【００７８】
尚、本実施形態では、導電性搬送ガイド１６１ａをＳＵＳ材で構成したものとした。しかしながら本発明はこれに限定されるものでなく、ＳＵＳ板以外の銅製やアルミ製等の金属板や、その他の導電性の高い部材であってもよい。
【００７９】
また、導電性両面テープ１６１ｂが流し読みプラテン１６１と導電性搬送ガイド１６１ａとの間に介在させるように配置し、導電性両面テープ１６１ｂによって導電性搬送ガイド１６１ａが貼り付けられたものを例示して説明した。しかしながら、流し読みプラテン１６１と直接接しているものであってもよい。さらに、導電性テープとして流し読みプラテン１６１に直接貼付したものであってもよい。また、導電性搬送ガイドは板バネであってもよい。また本実施形態では、導電性搬送ガイド１６１ａを接地するのにアースばね１５１を介してアース取りをする形態を説明したが、導電性搬送ガイドが直接アースを取る構成としてもよい。
【００８０】
以下では上記実施形態における変形例を説明する。
【００８１】
これまで述べてきた実施形態では導電性搬送ガイド１６１ａ通紙面高さと流し読みプラテン１６１通紙面高さとに差（段差）がある形態である。この段差の量を大きく構成してしまうと、原稿の後端が導電性搬送ガイド１６１ａの下流端部の段差を通過する際、段差抜けによるショックで読み取り画像が搬送方向にぶれた不良画像となってしまう問題が生じる恐れがある。特に厚紙通紙する場合には問題が大きくなることが考えられる。
【００８２】
そこで図５（ａ）で示すよう導電性搬送ガイド１６１ａの下流側端の搬送直交方向稜線を搬送中心線Ｄに対称形状である、Ｖ字形とすることで前記後端抜けショックを低減できる。具体的には導電性搬送ガイドの手前側と奥側での端搬送方向の端位置より、搬送中心の線Ｄの搬送方向の端位置がＬ［ｍｍ］だけ上流側に傾斜した稜線となった導電性の搬送ガイド４０１を設ける。このことでゴミによる画像スジの問題とショックによる画像ブレの問題も低減することが可能となる。導電性の搬送ガイドの下流側端の稜線としては、搬送方向における端位置が搬送方向と交差する原稿の幅方向で異なるようにすればよく、例えばＶ字形でなく湾曲形であってもよい。
【００８３】
また、図５（ｂ）乃至図５（ｄ）の夫々は、導電性搬送ガイドの下流側端部の形状に関しての変形例を示しており、いずれも導電性搬送ガイドの下流側端部の断面拡大図である。図５（ｂ）のように下流側端部に傾斜テーパをつけた断面形状を備えた導電性の端部テーパガイド４０２にすることや、図５（ｃ）に示すよう下流側端部をＬ字曲げ形状とした端部Ｌ字搬送ガイド４０３を設けてもよい。また、図５（ｄ）に示すよう段差を小さくするために２段曲げ形態に断面を構成した端部２段曲げガイド４０４とすることでも、前述した画像ブレの問題を低減する効果を発揮できる。
【００８４】
上述のごとく、屈曲搬送パスを搬送される原稿の画像を読み取る画像読取部において、導電性搬送ガイド１６１ａを流し読みプラテン１６１の読取位置１６０より原稿搬送方向上流側で搬送される原稿の全域が導電性搬送ガイド１６１ａに接する位置に配している。さらに、導電性搬送ガイド１６１のアースをとる構成としている。したがって、流し読みプラテン１６１と原稿Ｐの摺擦部近傍（静電気発生領域）で摺擦帯電を軽減することができ、原稿やゴミの持つ帯電を積極的に押し当て除電することが可能である。また、読み取り部近傍でのＥＣコートが耐久的にも劣化や剥離すること少ないため、恒久的に除電能力を維持できる。
【００８５】
これにより、流し読みプラテン１６１の読み取り位置近傍でのゴミＧの付着を防止でき、安定的にスジ画像の発生を防止できる。
【００８６】
なお、両面原稿の読み取り生産性を向上させるため、原稿の裏面を読み取る読み取り手段を別途ＡＤＦ２内に設けて、一回の通紙で原稿の両面を読み取る構成がある。この構成においても、裏面を読み取るための読み取り手段の構成は本実施形態の導電性搬送ガイドを含む流し読みプラテン１６１の構成を上下反転させた形態としてＡＤＦ２の搬送パス中に設けても同様の効果を得る事が可能である。
【００８７】
［他の実施形態］
次に本発明に係る画像読取装置の他の実施形態について図を用いて説明する。
【００８８】
図９は他の実施形態に係る画像読取装置の断面図、図１０は図９の画像読み取り部近傍の詳細図である。上記第一実施形態と説明の重複する部分については、同一の符号を付して説明を省略する。
【００８９】
図９において、両面パス切換え部材９がリード排出ローラ２３軸上に揺動自在に取り付けられている。両面パス切換え部材９は、原稿の両面を読み取るために原稿を両面パス１９に搬送する際に時計回り方向へ回転してパスを切換える。
【００９０】
読み取り部周りの構成を説明する。上記第１実施形態では導電性搬送ガイド１６１ａが流し読みプラテン１６１の上面に貼り付けられた構成であった。これに対して、図９および図１０に示すように本実施形態にかかる画像読取装置では、導電性の搬送ガイド部材２０１が流し読みプラテン１６１を保持する構成となっている。導電性の搬送ガイド部材２０１の原稿ガイド面である上面は流し読みプラテン１６１の上面に沿っていて、リードローラ対２２、１４のニップ線と交差する点は第１実施形態と同様である。
【００９１】
なお、本実施形態においても、導電性の搬送ガイド部材２０１のガイド面側の高さは上記第一実施形態と同様に、流し読みプラテン１６１の上面高さに対して０．２〜０．４ｍｍ程度の上方に位置している。
【００９２】
本実施形態では、導電性の搬送ガイド部材２０１が、下方に折り曲げられた折り曲げ部２０１ａを備えている。そして、折り曲げ部２０１ａの先端は水平方向に曲げられて、上面で流し読みプラテン１６１を保持する保持部２０１ｂとなっている。
【００９３】
導電性の搬送ガイド部材２０１は、流し読みプラテン１６１と反対側において、アースに落とされた筐体１５０ａにビスで固定されることで接地されている。導電性の搬送ガイド２０１は、手前側および奥側から延長した延長部２０１ｃを備える。延長部２０１ｃは流し読みプラテン１６１のＥＣコート（導電層）１６１ｃと接しておりＥＣコート１６１ｃの導通を確保している。２つの延長部２０１ｃは、原稿の通紙域外となるように設けられている。
【００９４】
これにより、上記第一実施形態と同様の効果が得られる上で、複数部品から構成されていた読み取り部構成を簡略化できるとともに、流し読みプラテンの幅を縮小できるため製造コストも削減できる。
【図面の簡単な説明】
【００９５】
【図１】本実施形態に係る画像読取装置の断面図。
【図２】本実施形態に係る原稿搬送装置の駆動系の説明図。
【図３】本実施形態に係る原稿読取部の詳細図。
【図４】本実施形態と従来形態における流し読みプラテンの原稿押し付け力測定結果と通紙耐久後の流し読みプラテン輝度測定結果。
【図５】本実施形態に係る導電性ガイド部材の下流端部形状詳細図。
【図６】本実施形態に係る原稿搬送装置のヒンジ機構の説明図。
【図７】本実施形態に係る原稿搬送装置の制御ブロック図。
【図８】本実施形態に係る読取装置の制御ブロック図。
【図９】本発明に係る他の実施形態の画像読み取り装置の断面図。
【図１０】本発明に係る他の実施形態の原稿読み取り部詳細図。
【図１１】本発明に係る画像形成装置の断面図。
【図１２】従来の構成を説明する図。
【図１３】従来の構成を説明する図。
【符号の説明】
【００９６】
２  原稿搬送装置
４  原稿トレイ
１０  排出トレイ
１２  レジストローラ
１４  リードコロ
１５  画像読取装置
１８  排出ローラ
１９  両面パス
２２  リードローラ
２３  リード排出ローラ
２４  プラテンローラ
１５０  リーダ部
１５１  アースばね
１６０  読取位置
１６１  流し読みプラテン
１６１ａ  導電性搬送ガイド
１６１ｂ  導電性両面テープ
１６１ｃ  導電層
Ｄ  原稿搬送中心
Ｇ  ゴミ
Ｐ  原稿
Ｔ  導電性搬送ガイドの原稿搬送方向下流側の端部
【図１】
2010136193.tif 000003
【図２】
2010136193.tif 000004
【図３】
2010136193.tif 000005
【図４】
2010136193.tif 000006
【図５】
2010136193.tif 000007
【図６】
2010136193.tif 000008
【図７】
2010136193.tif 000009
【図８】
2010136193.tif 000010
【図９】
2010136193.tif 000011
【図１０】
2010136193.tif 000012
【図１１】
2010136193.tif 000013
【図１２】
2010136193.tif 000014
【図１３】
2010136193.tif 000015